(57)【要約】【課題】回胴式遊技機において、メダルの利用を無くし擬似的にメダルの枚数をカウントすることが可能な遊技機用メダル投入計数装置を提供する。【解決手段】本発明の遊技機用メダル投入計数装置は、メダルディスク１と、ステッピングモーターコントローラー３と、ステッピングモーター２と、穴あき７又はメダル突起部８とを備え、擬似的なメダル枚数に応じて回転する。回転時に、メダルディスク１に配置された穴あき７又はメダル突起部８は、メダル投入通過検知センサー５を通過することで、擬似的にメダル枚数をカウントすることできる構成を特徴とする。ただし、擬似的なメダル投入枚数がＮ枚、穴あき７又はメダル突起部８の数がＲのとき、メダルディスク１の回転数は、Ｎ／Ｒとなる。【選択図】図１
2014064870.tif 000002
【特許請求の範囲】
【請求項１】
回胴式遊技機内に配置された、メダル投入通過センサーと、穴の空いたメダルディスクと、ステッピングモーターとを備え、メダルの投入を擬似的にカウントすることができる遊技機用メダル投入計数装置。
【請求項２】
穴の空いたメダルディスクの代わりに突起のできたメダルディスクが備えられた請求項１に記載の遊技機用メダル投入計数装置。
【請求項３】
メダル投入通過センサーを複数配置する請求項１に記載の遊技機用メダル投入計数装置。
【請求項４】
メダルの投入・排出が一切ない封入型回胴式遊技機における請求項１に記載の遊技機用メダル投入計数装置。
【発明の詳細な説明】
【技術分野】
【０００１】  本発明は、封入型回胴式遊技機におけるメダルを擬似的にカウントすることができる遊技機用メダル投入計数装置に関する。
【背景技術】
【０００２】  回胴式遊技機においては、メダルを投入して遊技をし、入賞時にはメダルホッパーよりメダルを入賞した枚数だけ排出するという装置が一般的に広まっております。
【発明の開示】
【発明が解決しようとする課題】
【０００３】  しかしながら、メダルを投入して、入賞時にメダルを排出するという装置においては１台あたり２５００枚〜３０００枚ものメダルが必要になるというコスト的な問題があった。さらに、遊技台のドアを開け、ホッパーへのメダル補給時の不正防止や作業を軽減するためにメダル自動補給装置まで必要としている問題があった。本発明は、上記課題に鑑みてなされた封入型回胴式遊技機において、メダルの投入がなくてもメダル枚数をカウントすることができる遊技機用メダル投入計数装置を提供する。
【課題を解決するための手段及び効果】
【０００４】  回胴式遊技機（パチスロ）のメダルを無くし、投入及び払出枚数等を全てデジタル教示させる。
本発明の遊技機用メダル投入計数装置は、メダルユニットＢＯＸ内に設けられたメダルディスクとステッピングモーターにより、メダル投入時に、メダルディスクが回転することができる装置から構成される。
メダルのカウントは、遊技機用メダル投入計数装置に備えられたメダル投入通過センサーが回転するメダルディスクに開けられた穴の数を感知する回数を、擬似的にメダルの枚数としてカウントする。
メダルディスクに開けられた１〜複数の穴または突起の数によって、ステッピングモーターが正確にメダルディスクの回転速度を制御することで、メダル投入通過センサーに通過するメダルディスクの穴または突起の数、すなわちメダルのカウント枚数を制御することができる。
【発明を実施するための最良の形態】
【０００５】  図１及至図３は本発明の最良の形態による遊技機用メダル投入計数装置を示し、図１は遊技機用メダル投入計数装置の平面図を示し、図２は遊技機用メダル投入計数装置の動作を示し、図３は遊技機用メダル投入計数装置の別の平面図を示す。【０００６】  本発明の遊技機用メダル投入計数装置は、メダルディスク駆動部と、メダル投入計数部とにより構成される。【０００７】  図１に示すように、メダルディスク駆動部は、回転可能なメダルディスク１と、メダルユニットＢＯＸ６と、ステッピングモーターコントローラー３と、ステッピングモーター２と、メダルディスク１に配置された穴あき７又はメダル突起部８とを備える。【０００８】  メダル投入計数部は、メダル投入通過検知センサー取付金具４と、メダル投入通過検知  センサー５とを備える。【００１０】  図１に示すように、外部からのメダル投入信号を受け取ることができるステッピングモーターコントローラー３と、メダルディスク１に回転の駆動力を伝えるステッピングモーター２とが接続するように配置される。【００１１】メダル投入計数部のメダル投入通過検知センサー取付金具４と、メダル投入通過検知センサー５とは、メダルディスク１とともに回転する穴あき７又はメダル突起部８の通過を感知できる位置に配置される。【００１２】メダルディスク１の回転数は、外部からのメダル投入数を感知するステッピングモーターコントローラー３により制御される。メダルディスク１の回転数は、メダル投入数Ｎ、メダルディスク１上における穴あき７又はメダル突起部８の数がＲの時、Ｎ／Ｒとなるように制御される。【００１３】  次に図２に示すように動作を説明する。ステップＳ２０１で動作が開始する。次に、ステップＳ２０２において、ステッピングモーターコントローラー３が外部の信号よりメダルの投入枚数を感知する。ステッピングモーターコントローラー３内部において、投入枚数Ｎ、穴あき７又はメダル突起部８の数がＲのときの回転数がＮ／Ｒであることを算出する。【００１４】  次にステップＳ２０３において、ステッピングモーターコントローラー３から駆動力を得たステッピングモーター２が回転をする。【００１５】次にステップＳ２０４で、ステッピングモーター２の回転とともに、メダルディスク１が回転をする。【００１６】  次のステップＳ２０５で、メダルディスク１に配置された穴あき７又はメダル突起部８がメダル投入通過検知センサー５の計数できる範囲を通過する。【００１７】  次のステップＳ２０６で、メダル投入通過検知センサー５で穴あき７又はメダル突起部８の通過数をカウントする【００１８】  次に、ステップＳ２０７で、ステッピングモーターコントローラー３が必要なステッピングモーター２の回転数がＮ／Ｒ回の回転が終了したかどうかを判断する。回転数が、Ｎ／Ｒ回より少ない場合には、引き続きステッピングモーター２が回転するようにステップＳ２０３に戻る。ステッピングモーター２の回転数が、Ｎ／Ｒ回の回転を終了した場合、ステップＳ２０８に移行する。ステップＳ２０８では、ステッピングモーターコントローラー３がステッピングモーター２の回転を停止させ、メダルディスク１の回転も停止し、動作が終了する。【００１９】  最良の形態によれば、メダル投入通過検知センサー５がメダルの枚数分、穴あき７又はメダル突起部８の通過を感知するため、メダルを使用せずに擬似的にメダルの投入枚数をカウントすることが可能となる。
【産業上の利用可能性】
【００２０】  上記では、メダル投入通過検知センサー５は一つだが複数のメダル投入通過検知センサー５を配置して利用しても良い。さらに、上記では、遊技機用メダル投入計数装置だが、メダル以外の遊技機用に利用しても良い。
【図面の簡単な説明】
【００２１】
【図１】遊技機用メダル投入計数装置の構成図（最良の形態）。
【図２】遊技機用メダル投入計数装置の動作フローチャート（最良の形態）。
【図３】遊技機用メダル投入計数装置の別の構成図（最良の形態）。
【図４】遊技機用メダル投入計数装置の立体図（最良の形態）。
【図５】遊技機用メダル投入計数装置の別の立体図（最良の形態）。
【符号の説明】
【００２２】１  メダルディスク  、２  ステッピングモーター、３  ステッピングモーターコントローラー、４  メダル投入通過検知センサー取付金具、５  メダル投入通過検知センサー、６  メダルユニットＢＯＸ、７  穴あき部、  ８  メダル突起部
【図１】
2014064870.tif 000003
【図２】
2014064870.tif 000004
【図３】
2014064870.tif 000005
【図４】
2014064870.tif 000006
【図５】
2014064870.tif 000007